(57)【特許請求の範囲】
【請求項１】
商品の価格を決定する管理センタと前記管理センタと接続する店舗システムと、前記店舗システムと無線により商品データと価格データをやり取りする商品に取り付けられる電子値札から構成される価格変更システムであって、
前記管理センタは前記商品の価格を随時変更する手段と、前記店舗システムへ前記商品の価格を送信する手段を有し、
前記店舗システムは前記管理センタから受け取った前記商品の価格を前記電子値札に送信する手段と、前記電子値札から前記商品データと価格データを読み出す手段と、読み出した複数の前記価格データを清算する手段から構成され、
前記電子値札は前記店舗システムと無線により商品データと価格データをやり取りする手段と、前記商品の値段を表示する手段と、購入者の指示によりある時点での前記商品の価格を保持する手段を有し、価格が随時変動するシステムの中で前記ある時点での前記商品の価格を保証する価格変更システム。
【請求項２】
電子値札の各部を制御する値札制御部と、表示された価格を記憶する表示価格記憶部と前記表示価格記憶部内の商品価格を表示する表示パネルから構成される価格表示部と、商品データを記憶する商品情報メモリと、外部との送受信を行う無線装置と、価格メモリと、外部からの指示を入力するボタンとを有し、前記値札制御部の制御により、前記ボタンが押下されたときに前記表示価格記憶部の内容を前記価格メモリへ書き込み、また前記無線装置を介して外部からの前記商品データと前記商品価格を送受信することを特徴とする電子値札。
【請求項３】
電子値札の各部を制御する値札制御部と、表示された価格を記憶する表示価格記憶部と前記表示価格記憶部内の商品価格を表示する表示パネルから構成される価格表示部と、商品データを記憶する商品情報メモリと、外部との送受信を行う無線装置と、価格メモリと、外部からの指示を入力するボタンとを有する電子値札における価格変更方法であって、
前記ボタンがされるか、または前記無線装置からの指示を待つ第一のステップと、前記ボタンが押下された場合はその時点の表示価格記憶部の値を価格メモリに格納し第一のステップへもどる第二のステップと、前記無線装置からの指示が書き込みの場合は、前記商品データを前記商品情報メモリへ書き込み、前記商品の価格を前記表示価格記憶部へ書き込みを行い前記商品の価格を前記表時派セルに表示し前記第一のステップへもどる第三のステップと、読み出しの指示の場合は、前記無線装置を経由して前記商品情報メモリもしくは前記価格メモリを読み出した情報を送信し前記第一のステップへもどる第四のステップから構成される価格変更方法。
【請求項４】
請求項３記載の第一から第四のステップをマイクロプロセッサに実行させるプログラムを記録した記録媒体。
【請求項５】
商品の価格を決定する管理センタと前記管理センタと接続する店舗システムと、前記店舗システムと無線により商品データと価格データをやり取りする商品に取り付けられる電子値札から構成される価格変更システムにおける清算方法であって、
前記管理センタは前記商品の価格を随時変更する第一のステップと、前記店舗システムへ前記商品の価格を随時送信する第二のステップと、前記店舗システムは前記管理センタから受け取った前記商品の価格を前記電子値札に送信する第三のステップと、
前記電子値札は前記店舗システムと無線により商品データと価格データを受信する第四のステップと、前記商品の値段を表示する第五のステップと、購入者の指示によりある時点での前記商品の価格を保持する第六のステップと、
前記店舗システムが、前記電子値札から前記商品データと価格データを読み出す第七のステップと、前記第七のステップを前記商品の数分繰り返す第八のステップと、前記商品データに対応する前記管理センタ前記商品の価格と読み出された前記価格データの値の比較を実施する第九のステップと、前記管理センタの前期商品の価格と読み出された前記価格データの小さい値のほうを販売価格として清算する第十のステップから構成されることを特徴とする清算方法。
【請求項６】
請求項５記載の第一から第三のステップと、第七から第十のステップをコンピュータに実行させるプログラムを記録した記録媒体。
【発明の詳細な説明】
【０００１】
【発明の属する技術分野】
本発明は店舗における商品の売り上げの清算に関し、特に商品に付けたタグに値段を表示し、値段を確定し自動的に清算を行うシステムに関する。
【０００２】
【従来の技術】
特許３０４４８７０号「自動売上装置」には、商品に付けられて、その商品を特定するためのカードデータを記憶するメモリ機能と、カードデータを送信する送信機能を有する値札カードから値段を読み込みメモリカードへ格納し、メモリカードを抜き取りメモリカード内のカードデータにより清算を行う自動売上装置が開示されている。
【０００３】
従来、価格情報を外部から無線等に手段により受信し電子表示する電子値札等の仕組みにより値段の変更を行い、さらに自動清算を行っていた。
【０００４】
【発明が解決しようとする課題】
特許３０４４８７０号「自動売上装置」は、値札カード内のカードデータを無線により変更することはできない。
【０００５】
従来、価格情報を外部から無線等に手段により受信し電子表示する仕組みは存在したが、購入者側から価格を固定する仕組みが用意できていなかった。したがって、電子表示により価格を随時変更する仕組みの場合、購入者が実際に商品を購入する際に、購入を決意した時点の価格よりも上昇するという問題が発生する可能性があった。
【０００６】
本発明の目的は、上記の問題点を解決する価格表示方法を提供する。
【０００７】
【課題を解決するための手段】
本発明の価格変更システムは、商品の価格を決定する管理センタと前記管理センタと接続する店舗システムと、前記店舗システムと無線により商品データと価格データをやり取りする商品に取り付けられる電子値札から構成される価格変更システムであって、前記管理センタは前記商品の価格を随時変更する手段と、前記店舗システムへ前記商品の価格を送信する手段を有し、前記店舗システムは前記管理センタから受け取った前記商品の価格を前記電子値札に送信する手段と、前記電子値札から前記商品データと価格データを読み出す手段と、読み出した複数の前記価格データを清算する手段から構成され、前記電子値札は前記店舗システムと無線により商品データと価格データをやり取りする手段と、前記商品の値段を表示する手段と、購入者の指示によりある時点での前記商品の価格を保持する手段を有し、価格が随時変動するシステムの中で前記ある時点での前記商品の価格を保証する。
【０００８】
本発明の電子値札は、電子値札の各部を制御する値札制御部と、表示された価格を記憶する表示価格記憶部と前記表示価格記憶部内の商品価格を表示する表示パネルから構成される価格表示部と、商品データを記憶する商品情報メモリと、外部との送受信を行う無線装置と、価格メモリと、外部からの指示を入力するボタンとを有し、前記値札制御部の制御により、前記ボタンが押下されたときに前記表示価格記憶部の内容を前記価格メモリへ書き込み、また前記無線装置を介して外部からの前記商品データと前記商品価格を送受信する
本発明の価格変更方法は、電子値札の各部を制御する値札制御部と、表示された価格を記憶する表示価格記憶部と前記表示価格記憶部内の商品価格を表示する表示パネルから構成される価格表示部と、商品データを記憶する商品情報メモリと、外部との送受信を行う無線装置と、価格メモリと、外部からの指示を入力するボタンとを有する電子値札における価格変更方法であって、前記ボタンがされるか、または前記無線装置からの指示を待つ第一のステップと、前記ボタンが押下された場合はその時点の表示価格記憶部の値を価格メモリに格納し第一のステップへもどる第二のステップと、前記無線装置からの指示が書き込みの場合は、前記商品データを前記商品情報メモリへ書き込み、前記商品の価格を前記表示価格記憶部へ書き込みを行い前記商品の価格を前記表時派セルに表示し前記第一のステップへもどる第三のステップと、読み出しの指示の場合は、前記無線装置を経由して前記商品情報メモリもしくは前記価格メモリを読み出した情報を送信し前記第一のステップへもどる第四のステップから構成される。
【０００９】
本発明の記録媒体は、本発明の価格変更方法の第一から第四のステップをマイクロプロセッサに実行させるプログラムを記録した。
【００１０】
本発明の清算方法は、商品の価格を決定する管理センタと前記管理センタと接続する店舗システムと、前記店舗システムと無線により商品データと価格データをやり取りする商品に取り付けられる電子値札から構成される価格変更システムにおける清算方法であって、前記管理センタは前記商品の価格を随時変更する第一のステップと、前記店舗システムへ前記商品の価格を随時送信する第二のステップと、前記店舗システムは前記管理センタから受け取った前記商品の価格を前記電子値札に送信する第三のステップと、前記電子値札は前記店舗システムと無線により商品データと価格データを受信する第四のステップと、前記商品の値段を表示する第五のステップと、購入者の指示によりある時点での前記商品の価格を保持する第六のステップと、前記店舗システムが、前記電子値札から前記商品データと価格データを読み出す第七のステップと、前記第七のステップを前記商品の数分繰り返す第八のステップと、前記商品データに対応する前記管理センタ前記商品の価格と読み出された前記価格データの値の比較を実施する第九のステップと、前記管理センタの前期商品の価格と読み出された前記価格データの小さい値のほうを販売価格として清算する第十のステップから構成される。
【００１１】
本発明の記録媒体は、本発明の清算方法の第一から第三のステップと、第七から第十のステップをコンピュータに実行させるプログラムを記録した。
【００１２】
【発明の実施の形態】
次に、本発明の実施の形態について図面を参照して詳細に説明する。図１は、本発明実施の形態の価格変更システムの構成を示すブロック図である。管理センタ１と店舗システム２は通信回線５により接続されている。店舗システム２と電子値札４は無線通信路３により接続されている。各商品には、電子値札４が取り付けてあり、購入者に価格が分かるように表示される。
【００１３】
管理センタ１は、価格を決定する処理を行う処理装置１２と在庫情報１１１、販売数量情報１１２、商品価格情報１１３を保持する記憶装置１１から構成される。処理装置１２はコンピュータシステムであり、プロセッサ、メモリ、時計、通信処理装置等から構成される。管理センタ１は、店舗システム２を経由し逐次商品価格情報１１３を電子値札４に通知し、価格に反映させる。また、商品が購入された場合には、電子値札４から店舗システム２を経由して、管理センタ１の在庫情報１１１、販売数量情報１１２へ情報が伝達される。在庫情報１１１、販売数量情報１１２、商品価格情報１１３は商品の数分あり、商品データにより管理される。商品データは電子値札４の商品情報メモリ４９へ格納される。
【００１４】
次に価格の変動について説明する。在庫情報１１１、販売数量情報１１２が変動した場合には、事前に用意した関数を基に商品価格情報１１３は変動する。この関数の例について説明する。たとえば販売数量が目標を超えると値上げした価格を設定する。または、在庫が予定より少なくなった場合に値上げした価格を設定する。あるいは、タイムサービスとしてある時間だけ割引価格で販売し、その時間が過ぎるとものと値段に戻す、等がある。この関数は処理装置１２により実行され、処理装置１２により記憶装置１１内の在庫情報１１１、販売数量情報１１２が読み出され、関数の処理が行われ結果の商品価格情報１１３が更新される。
【００１５】
次に図２を参照して、電子値札４の構成を説明する。図２は、本発明実施の形態の電子表示値札の構成を示すブロック図である。電子値札４は、値札制御部４４、価格表示部４５、ボタン４６、価格メモリ４７、無線装置４８、商品情報メモリ４９を有している。値札制御部４４は、電子値札４全体の制御を行いバス４３を介して価格表示部４５、ボタン４６、価格メモリ４７、無線装置４８、商品情報メモリ４９を制御する。値札制御部４４は、マイクロプロセッサ４４１とそのプログラムが格納されたＲＯＭ４４２から構成される。価格表示部４５は表示パネル４５１と価格を記憶する表示価格記憶部４５２を有する。
【００１６】
価格表示部４５は無線装置４８からの入力信号によって、表示する数値が変化する。また、ボタン４６が押下された場合、その時点の表示価格記憶部４５２の値が価格メモリ４７に格納される。商品情報メモリ４９は、商品種類を区別するための情報を保持するためのメモリである。
【００１７】
次に本発明実施の形態の電子値札４の動作について説明する。電子値札４の値札制御部４４はボタン４６が押下される、または無線装置４８からの商品情報メモリ４９もしくは表示価格記憶部４５２の書き込み、または商品情報メモリ４９もしくは価格メモリ４７の読み出しの指示を待つ。ボタン４６が押下された場合はその時点の表示価格記憶部４５２の値が価格メモリ４７に格納される。無線装置４８からの商品情報メモリ４９へもしくは表示価格記憶部４５２の書き込みの場合は、無線装置４８より情報を受け取り商品情報メモリ４９もしくは表示価格記憶部４５２へその情報の書き込みを行う。商品情報メモリ４９もしくは価格メモリ４７への読み出しの指示の場合は、無線装置４８を経由して商品情報メモリ４９もしくは価格メモリ４７を読み出した情報を送信する。
【００１８】
次に、本発明の実施の形態の清算方法動作について図面を参照して説明する。図３のフローチャートを参照して、本実施例の全体の動作について詳細に説明する。図３は、本発明実施の形態の清算方法の動作を示すフローチャートである。商品価格情報１１３は随時変更され（ステップＡ１）、商品価格情報１１３は、店舗システム２を経由して電子値札４に受信され価格表示部４５に随時反映される（ステップＡ２）。購入者は、商品購入を決意した時点でボタン４６を押下する（ステップＡ３）。その結果、その時点の価格表示部４５の値が価格メモリ４７に格納される（ステップＡ４）。商品の清算時（ステップＡ５）には、店舗システム２は電子値札４内の価格メモリ４７と商品情報メモリ４９に記憶されている商品情報を読み出し、その商品情報に対応する商品価格情報１１３の値と価格メモリ４７の値の比較を実施し（ステップＡ６）、小さい値のほうを販売価格として清算する（ステップＡ７、ステップＡ８）。
【００１９】
上述の各ステップはコンピュータのプログラムとして実現可能である。図４は、本発明実施の形態の価格変更方法を実行するコンピュータ６０とそのプログラムが格納された記録媒体６１を示す図である。
【００２０】
【発明の効果】
第１の効果は、表示価格の随時変更を無線で一括に実施可能なことである。その結果、商品を陳列したままの表示価格の変更を容易に実施することができる。その理由は、集中管理されている価格をそれぞれの商品値札に反映する仕組みを用意しているためである。第２の効果は、購入者が、購入を決意した時の価格と清算時の価格のうち、安価なほうで購入が可能となることである。その結果、価格が随時変動することによって、購入者に不利益を与えることがなくなる。その理由は、購入者が購入を決意した時点の価格を保持して、清算時の価格と比較する仕組みを用意しているためである。
【図面の簡単な説明】
【図１】本発明実施の形態の価格変更システムの構成を示すブロック図である。
【図２】本発明実施の形態の電子値札の構成を示すブロック図である。
【図３】本発明実施の形態の清算方法の動作を示すフローチャートである。
【図４】本発明実施の形態の清算方法を実行するコンピュータ６０とそのプログラムが格納された記録媒体６１を示す図である。
【符号の説明】
１    管理センタ
２    店舗システム
３    無線通信路
４    電子値札
５    通信回線
１１    記憶装置
１２    処理装置
４４    値札制御部
４５    価格表示部
４６    ボタン
４７    価格メモリ
４８    無線装置
４９    商品情報メモリ
６０    コンピュータ
６１    記録媒体
１１１    在庫情報
１１２    販売数量情報
１１３    商品価格情報
４４１    マイクロプロセッサ
４４２    ＲＯＭ
４５１    表示パネル
４５２    表示価格記憶部
【図１】
0003580247.tif 000002
【図２】
0003580247.tif 000003
【図３】
0003580247.tif 000004
【図４】
0003580247.tif 000005